(57)【要約】【課題】  上部に設置する照明装置の裏側も収納可能として収納空間を増やし、使い勝手を向上させることができるミラーキャビネットの照明装置を提供する。【解決手段】  洗面化粧台のミラーキャビネットの上部に設置されるミラーキャビネット照明装置であって、前記照明装置は平面状発光部を有し、前記照明装置の裏側には収納部が設けられ、前記平面状発光部が収納部の扉であることを特徴とするミラーキャビネット照明装置を提供する。【選択図】  図１
2011135917.tif 000002
【特許請求の範囲】
【請求項１】
洗面化粧台のミラーキャビネットの上部に設置されるミラーキャビネット照明装置であって、
前記照明装置は平面状発光部を有し、
前記照明装置の裏側には収納部が設けられ、
前記平面状発光部が収納部の扉であることを特徴とするミラーキャビネット照明装置。
【請求項２】
請求項１記載のミラーキャビネット照明装置において、
前記平面状発光部は、平面状の導光板と、
前記導光板の端部に配置したＬＥＤ発光部から構成したことを特徴とするミラーキャビネット照明装置。
【請求項３】
請求項１または２記載のミラーキャビネット照明装置において、
前記平面状発光部を開いたときには、ＬＥＤ発光部の発光を休止するようにしたことを特徴とするミラーキャビネット照明装置。
【請求項４】
請求項２記載のミラーキャビネット照明装置において、
前記導光板を開いたときには、前記ＬＥＤ光源の一部のみを発光させることを特徴とするミラーキャビネット照明装置。
【発明の詳細な説明】
【技術分野】
【０００１】
本発明は、洗面化粧台のミラーキャビネット照明装置に関する発明である。
【背景技術】
【０００２】
従来、洗面化粧台は、洗面ボウル及び水栓を備えた洗面キャビネットとその上部に取り付けられるミラーキャビネットより構成され、ミラーキャビネットの上部には照明装置が設置されている。洗面キャビネットおよびミラーキャビネットには洗面用具や化粧品などを収納するための収納部があり、収納量が多く使い勝手のよいものが望まれている。
【０００３】
このような洗面化粧台では、使い勝手を向上させ収納量を増やすために、ミラーキャビネットの鏡と、壁面に固定される基体の間を収納空間とし、様々な取り合い上の工夫がなされている。（例えば、特許文献１参照。）
【０００４】
しかしながら、ミラーキャビネットの鏡と基体の間の収納空間は、洗面や化粧の際の鏡の使い勝手上、あまり大きくすることも出来ないため、収納量には限界があった。
【先行技術文献】
【特許文献】
【０００５】
【特許文献１】特開２００８−１３６５０７号公報
【発明の概要】
【発明が解決しようとする課題】
【０００６】
本発明は、上記問題を解決するためになされたもので、本発明の課題は、ミラーキャビネットの収納空間を増やし使い勝手を向上させることである。
【課題を解決するための手段】
【０００７】
上記の課題を解決するために、請求項１記載の発明によれば、洗面化粧台のミラーキャビネットの上部に設置されるミラーキャビネット照明装置であって、前記照明装置は平面状発光部を有し、前記照明装置の裏側には収納部が設けられ、前記平面状発光部が収納部の扉であることを特徴とするがミラーキャビネット照明装置が提供される。
これによれば、照明装置が収納部の扉を兼ねることにより、収納空間を増大させることが可能となる。
【０００８】
請求項２記載の発明によれば、ミラーキャビネット上部の収納部の縁部に線状にＬＥＤ素子を配置した発光部を設置し、収納部の扉を兼ねる導光板部に線上に配置したＬＥＤからの光を誘導して発光させる構造とすることで扉部分の発熱を抑える。
【０００９】
請求項３記載の発明によれば、前記のミラーキャビネット照明装置に置いて、ミラーキャビネット上部の収納部の扉を兼ねる平面状発光部を開いた時には、ＬＥＤ発光部への通電を遮断することで電力の節減ができる。
【００１０】
請求項４記載の発明によれば、前記のミラーキャビネット照明装置に置いて、ミラーキャビネット上部の収納部の扉を兼ねる導光板部を開いた時には、収納部の縁に線状に配置したＬＥＤ発光部の一部のみ通電を行うようにすることで、前記収納部の扉を開けた場合には収納部内部を照らすことができると同時に電力の節減もできる。
【発明の効果】
【００１１】
本発明によれば、ミラーキャビネット上部に設置した平面状の照明装置の裏側に収納部を設けることで、鏡と基体の間の収納空間の収納量と使い勝手を損ねることなく、収納量を増やしたミラーキャビネットを提供することが出来る。
【図面の簡単な説明】
【００１２】
【図１】本発明の第一の実施例における洗面化粧台の斜視図
【図２】本発明の第一の実施例の照明部分の構成を示す断面図
【図３】本発明の第二の実施例の照明部分の構成を示す断面図
【図４】本発明の第一の実施例の電気的構成を示す回路図
【図５】本発明の第二の実施例の電気的構成を示す回路図
【発明を実施するための形態】
【００１３】
図１に、本発明の第一実施例における洗面化粧台の斜視図を示す。  ミラーキャビネット１６は、洗面化粧台１５の上部に備え付けられている。
ミラーキャビネット１６は箱状の基体１に鏡２をとりつけた構造となっており、基体１の鏡２裏側部分に、鏡裏収納部３を設けている。
また、ミラーキャビネット上部には平面状発光部５が備えられており、その裏側には発光部裏収納部４が設けられている。
【００１４】
図２（ａ）に第一の実施例における発光部裏収納部４と平面状発光部５の断面構造を示す。
平面状発光部５は導光板１７と、その端部に設けられたＬＥＤ発光部６より構成されている。
線状に配置したＬＥＤ発光部６は収納部４の扉を兼ねる導光板１７の端面に設置される。導光板１７は、ＬＥＤ発光部６からの光を端面より取り込み、反射と拡散により前方へ照射する。これにより、導光板１７全体から光が放射され、平面状発光部５全体が発光することとなる。
【００１５】
図２（ｂ）に第一の実施例における平面状発光部６を移動させ、収納部４を開放した状態の断面構造を示す。
平面状発光部６はその上側の一辺において、基材１とヒンジなどによって回動可能に取り付けられている。これにより、平面状発光部６は起立状態から略水平状態へ上方に回動可能となり、収納部４の扉として機能する。
本実施例では上側の一辺を回転軸とした上下回動の扉としたが、左右の一辺を回転軸とした左右開きの扉とすることもできる。
【００１６】
扉開閉検知手段７は扉を兼ねる平面状発光部５の開閉状態を検知するもので、平面状発光部５の開閉状態に応じて電気的Ｈ／Ｌ信号をＬＥＤ通電切替手段８に出力する。ＬＥＤ通電切替手段８は扉開閉検知手段７からの電気的Ｈ／Ｌ信号を受けて、線状に配置したＬＥＤ発光部６の全部もしくは一部に通電または通電の遮断を行う。
扉開閉検知手段７は平面状発光部５に取り付けられたマグネット９と収納部４に取り付けられらた磁気検出回路１０により構成されている。平面状発光部５が閉じている時には、マグネット９と磁気検出回路１０が接近しているので、磁気検出回路１０は磁気を検知してＬＥＤ通電切替手段８に通電の信号を出力される。こうしてＬＥＤ発光部６が発光し、ＬＥＤ発光部６の光は平面状発光部５から前方に照射される。
【００１７】
平面状発光部５を開いた時は、マグネット９と磁気検出回路１０が離れるので、磁気検出回路１０は磁気を検知しなくなり、ＬＥＤ通電切替手段８には非通電の信号を出力される。こうしてＬＥＤ発光部６が消灯する。
【００１８】
図３は、発光部裏収納部４と扉を兼ねる平面状発光部５の断面構造を示す第二の実施例である。扉を兼ねる平面状発光部５に取り付けられたマグネット９と収納部４に取り付けられらた磁気検出回路１０により扉開閉検知手段７を構成している。平面状発光部５は線状に配置されたＬＥＤ発光部６と導光板１７が別体として構成される。このとき、ＬＥＤ発光部６は収納部４に取り付けられており、扉を兼ねる平面上発光部５は導光板のみで構成されている。
こうすることにより、扉として機能する導光板１７を開閉させる際に、ＬＥＤ発光部６は動かないので、ＬＥＤ発光部６へ通電する電線が屈曲させる必要がなくなり、屈曲による電線が破断する危険を低減させることができる。
【００１９】
また、ＬＥＤ発光部６は収納部４に発光部が内側を向くように設置されており、扉を兼ねる平面状発光部５が閉じているときはＬＥＤ発光部６のＬＥＤ素子の全て点灯し、扉が開いているときはＬＥＤ発光部６のＬＥＤ素子の一部のみが点灯するようにしている。
このように構成することで平面状発光部５を開いたときにも収納部４の内部に光を照射することが可能となり、収納物の確認がし易くなる。また、ＬＥＤ素子を取り付ける放熱板を収納部４の外面、とくに上面に取り付けることでＬＥＤ素子からの熱を効率よく放熱することができる。
【００２０】
図４は本発明の電気的構成を示す回路ブロック図の一実施例である。本回路は、ホール素子、増幅器、出力トランジスタなどより構成される磁気検出回路１０、トランジスタによるＬＥＤ通電切替手段８、ＬＥＤ発光部６より構成されている。ＬＥＤ発光部６は複数のＬＥＤが直列接続されたＬＥＤユニット１１が複数個並列に接続され、電源１３とＬＥＤ通電切替手段８のトランジスタのコレクタとの間に設置されている。
【００２１】
スイッチ１２が閉じ、収納部４の扉が閉じている時は、扉に取り付けられたマグネットが磁気検出回路１０のホール素子に接近するので磁気検出回路１０の出力トランジスタＱ１の出力はＨとなって、ＬＥＤ通電切替手段８のトランジスタＱ２をＯＮさせ、トランジスタＱ２のコレクタに接続されたＬＥＤ発光部６に通電が行われてＬＥＤ発光部６は発光する。一方、収納部４の扉が開いて時は、扉に取り付けられたマグネットが磁気検出回路１０のホール素子から離れるので磁気検出回路１０の出力トランジスタＱ１の出力はＬとなって、ＬＥＤ通電切替手段８のトランジスタＱ２をＯＦＦさせ、トランジスタＱ２のコレクタに接続されたＬＥＤ発光部６は通電が遮断されＬＥＤ発光部６は消灯する。
【００２２】
図５は本発明の電気的構成を示す回路ブロック図の別の実施例である。本回路も、ホール素子、増幅器、出力トランジスタなどより構成される磁気検出回路１０、トランジスタによるＬＥＤ通電切替手段８、ＬＥＤ発光部６より構成されている。ＬＥＤ発光部６は複数のＬＥＤが直列接続されたＬＥＤユニット１１が複数個で構成されている。複数のＬＥＤユニットの一部は並列に接続され、電源１２とＬＥＤ通電切替手段８のトランジスタのコレクタとの間に設置されているが、残りのＬＥＤユニットは電源１３に直接接続されており、スイッチ１２を閉じている間は常時点灯する状態となっている。
【００２３】
スイッチ１２が閉じ、収納部４の扉が閉じている時は、扉に取り付けられたマグネットが磁気検出回路１０のホール素子に接近するので磁気検出回路１０の出力トランジスタＱ１の出力はＨとなって、ＬＥＤ通電切替手段８のトランジスタＱ２をＯＮさせ、トランジスタＱ２のコレクタに接続されたＬＥＤユニットに通電が行われてＬＥＤ発光部６は全てのＬＥＤユニットが発光する。一方、収納部４の扉が開いて時は、扉に取り付けられたマグネットが磁気検出回路１０のホール素子から離れるので磁気検出回路１０の出力トランジスタＱ１の出力はＬとなって、ＬＥＤ通電切替手段８のトランジスタＱ２をＯＦＦさせ、トランジスタＱ２のコレクタに接続されたＬＥＤユニットは通電が遮断され、ＬＥＤ発光部６はスイッチ１２がＯＮの間は常時通電されているＬＥＤユニットのみ発光となる。
【符号の説明】
【００２４】
１…基体、２…鏡、３…鏡裏収納部、４…ミラーキャビネット上部収納部、５…平面上発光部、６…ＬＥＤ発光部、７…扉開閉検知手段、８…ＬＥＤ通電切替手段、９…マグネット、１０…磁気検出回路、１１…ＬＥＤユニット、１２…スイッチ、１３…電源、１４…ヒートシンク、１５…洗面化粧台、１６…ミラーキャビネット、１７…導光板、
【図１】
2011135917.tif 000003
【図２】
2011135917.tif 000004
【図３】
2011135917.tif 000005
【図４】
2011135917.tif 000006
【図５】
2011135917.tif 000007